(57)【要約】【課題】ＩＰ電話端末が通話開始の指示等を示す指示情報を生成して送信する機能を備えていなくても、ＩＰ電話端末の現在の通話状態を特定することができるようにする。【解決手段】無線ＩＰ電話端末１ａ，１ｂと呼制御サーバ３が通信の確立に使用するＳＩＰのメッセージを検出すると、メッセージの種類を判別して、そのメッセージの種類から無線ＩＰ電話端末１ａ，１ｂの通話状態を特定する。これにより、無線ＩＰ電話端末１ａ，１ｂが通話開始の指示等を示す指示情報を生成して送信する機能を備えていなくても、無線ＩＰ電話端末１ａ，１ｂの現在の通話状態を特定することができる。【選択図】図１
2007174558.tif 000002
【特許請求の範囲】
【請求項１】
ＩＰ電話端末と呼制御サーバが通信の確立に使用する通信制御プロトコルのメッセージを検出するメッセージ検出手段と、上記メッセージ検出手段により検出されたメッセージの種類を判別し、そのメッセージの種類から上記ＩＰ電話端末の通話状態を特定する通話状態特定手段とを備えた通話管理装置。
【請求項２】
通話状態特定手段は、ＩＰ電話端末と呼制御サーバ間の通話トラフィックを監視し、通話トラフィックの有無から上記ＩＰ電話端末の通話状態を特定することを特徴とする請求項１記載の通話管理装置。
【請求項３】
通話状態特定手段は、通話トラフィックを検出すると、現在の通話状態が通話中であると認定してタイマを起動する一方、そのタイマを起動してから、そのタイマがタイムアウトするまでの間に通話トラフィックを検出しなければ、現在の通話状態が待受け中であると認定することを特徴とする請求項２記載の通話管理装置。
【請求項４】
通話状態特定手段の特定結果から現在の通話状態が通話中であるＩＰ電話端末の台数を検出し、その台数が規定台数に到達すると、新たなＩＰ電話端末の通話接続を拒否する接続拒否手段を設けたことを特徴とする請求項１から請求項３のうちのいずれか１項記載の通話管理装置。
【請求項５】
通信の確立時に通信制御プロトコルのメッセージを送受信するＩＰ電話端末と、上記ＩＰ電話端末と通信制御プロトコルのメッセージを送受信して通信を確立する呼制御サーバと、上記ＩＰ電話端末と上記呼制御サーバが送受信する通信制御プロトコルのメッセージを検出して、そのメッセージの種類を判別し、そのメッセージの種類から上記ＩＰ電話端末の通話状態を特定する通話管理装置とを備えたＩＰ電話システム。
【請求項６】
通話管理装置は、ＩＰ電話端末と呼制御サーバ間の通話トラフィックを監視し、通話トラフィックの有無から上記ＩＰ電話端末の通話状態を特定することを特徴とする請求項５記載のＩＰ電話システム。
【請求項７】
通話管理装置は、通話トラフィックを検出すると、現在の通話状態が通話中であると認定してタイマを起動する一方、そのタイマを起動してから、そのタイマがタイムアウトするまでの間に通話トラフィックを検出しなければ、現在の通話状態が待受け中であると認定することを特徴とする請求項６記載のＩＰ電話システム。
【請求項８】
通話管理装置は、現在の通話状態が通話中であるＩＰ電話端末の台数を検出し、その台数が規定台数に到達すると、新たなＩＰ電話端末の通話接続を拒否することを特徴とする請求項５から請求項７のうちのいずれか１項記載のＩＰ電話システム。
【発明の詳細な説明】
【技術分野】
【０００１】
この発明は、ＶｏＩＰ技術（Ｖｏｉｃｅ  ｏｖｅｒ  ＩＰ：ＩＰネットワーク上に音声（ｖｏｉｃｅ）を伝送するために用いられる技術）を利用して、音声情報を送受信するＩＰ電話システムと、そのＩＰ電話システムに適用する通話管理装置とに関するものである。
【背景技術】
【０００２】
従来のＩＰ電話システムは、ＩＰ電話端末が通話開始の指示や、通話終了の指示を示す指示情報を生成して、その指示情報を基地局（ＡＰ：Ａｃｃｅｓｓ  Ｐｏｉｎｔ）に送信する。
ＩＰ電話システムの基地局は、ＩＰ電話端末から指示情報を受信すると、その指示情報からＩＰ電話端末の現在の通話状態を特定するようにしている（例えば、特許文献１を参照）。
【０００３】
【特許文献１】特開２００３−２７４４３８号公報（段落番号［００４２］から［００４７］、図７）
【発明の開示】
【発明が解決しようとする課題】
【０００４】
従来のＩＰ電話システムは以上のように構成されているので、ＩＰ電話端末が通話開始の指示や通話終了の指示を示す指示情報を生成して、その指示情報を基地局に送信する機能を備えていれば、基地局が指示情報からＩＰ電話端末の現在の通話状態を特定することができる。しかし、ＩＰ電話端末が通話開始の指示等を示す指示情報を生成して送信する機能を備えていなければ、基地局がＩＰ電話端末の現在の通話状態を特定することができない課題があった。
【０００５】
この発明は上記のような課題を解決するためになされたもので、ＩＰ電話端末が通話開始の指示等を示す指示情報を生成して送信する機能を備えていなくても、ＩＰ電話端末の現在の通話状態を特定することができる通話管理装置及びＩＰ電話システムを得ることを目的とする。
【課題を解決するための手段】
【０００６】
この発明に係る通話管理装置は、ＩＰ電話端末と呼制御サーバが通信の確立に使用する通信制御プロトコルのメッセージを検出するメッセージ検出手段を設け、そのメッセージ検出手段により検出されたメッセージの種類を判別し、そのメッセージの種類からＩＰ電話端末の通話状態を特定するようにしたものである。
【発明の効果】
【０００７】
この発明によれば、ＩＰ電話端末と呼制御サーバが通信の確立に使用する通信制御プロトコルのメッセージを検出するメッセージ検出手段を設け、そのメッセージ検出手段により検出されたメッセージの種類を判別し、そのメッセージの種類からＩＰ電話端末の通話状態を特定するように構成したので、ＩＰ電話端末が通話開始の指示等を示す指示情報を生成して送信する機能を備えていなくても、ＩＰ電話端末の現在の通話状態を特定することができる効果がある。
【発明を実施するための最良の形態】
【０００８】
実施の形態１．
図１はこの発明の実施の形態１によるＩＰ電話システムを示す構成図であり、図において、無線ＩＰ電話端末１ａ，１ｂは基地局２ａ，２ｂを介して、呼制御サーバ３と通信を確立する際、通信制御プロトコルであるＳＩＰ（Ｓｅｓｓｉｏｎ  Ｉｎｉｔｉａｔｉｏｎ  Ｐｒｏｔｏｃｏｌ）のメッセージを呼制御サーバ３と送受信する。
基地局２ａ，２ｂは無線ＩＰ電話端末１ａ，１ｂと無線通信を実施しながら、呼制御サーバ３と有線通信を実施して、無線ＩＰ電話端末１ａ，１ｂと呼制御サーバ３間の通信を中継する中継機能を有するほかに、無線ＩＰ電話端末１ａ，１ｂと呼制御サーバ３が送受信するＳＩＰのメッセージを検出して、そのメッセージの種類を判別し、そのメッセージの種類から無線ＩＰ電話端末１ａ，１ｂの通話状態を特定する通話状態特定機能を備えている。なお、基地局２ａ，２ｂは通話管理装置を構成している。
【０００９】
呼制御サーバ３は例えばコンピュータネットワークであるＩＰネットワーク４に接続され、無線ＩＰ電話端末１ａ，１ｂと通信を確立する際、ＳＩＰのメッセージを無線ＩＰ電話端末１ａ，１ｂと送受信し、また、無線ＩＰ電話端末１ａ，１ｂと通信が確立したのち、例えば、無線ＩＰ電話端末１ａから送信された無線ＩＰ電話端末１ｂ宛の音声パケットを受信すると、その音声パケットを無線ＩＰ電話端末１ｂに転送するなどの処理を実施する。
【００１０】
図２はこの発明の実施の形態１によるＩＰ電話システムが適用する基地局を示す構成図であり、図において、基地局２ａ，２ｂの無線送受信部１１は無線ＩＰ電話端末１ａ，１ｂと無線通信を実施し、無線ＩＰ電話端末１ａ，１ｂから送信された信号を受信して有線−無線ブリッジ部１２に出力する一方、有線−無線ブリッジ部１２から出力された信号を無線ＩＰ電話端末１ａ，１ｂに送信する。
有線−無線ブリッジ部１２は無線送受信部１１と有線処理部１３間の信号を中継する処理を実施する。
有線処理部１３はＩＰネットワーク４に対するインタフェースであり、呼制御サーバ３から送信された信号を受信して有線−無線ブリッジ部１２に出力する一方、有線−無線ブリッジ部１２から出力された信号を呼制御サーバ３に送信する。
監視制御部１４は有線−無線ブリッジ部１２により中継される信号を監視し、その信号がＳＩＰのメッセージであれば、そのメッセージの種類を判別し、そのメッセージの種類から無線ＩＰ電話端末１ａ，１ｂの通話状態を特定する処理を実施する。
なお、監視制御部１４はメッセージ検出手段及び通話状態特定手段を構成している。
【００１１】
次に動作について説明する。
例えば、無線ＩＰ電話端末１ａが基地局２ａの無線通信エリア内に存在しているとき、無線ＩＰ電話端末１ａのユーザが無線ＩＰ電話端末１ｂのユーザとの通話を希望する場合、ユーザの指示の下、無線ＩＰ電話端末１ａが通信の確立要求を基地局２ａを介して呼制御サーバ３に送信する。
【００１２】
呼制御サーバ３は、無線ＩＰ電話端末１ａから通信の確立要求を受信すると、基地局２ａを介して、ＳＩＰメッセージを無線ＩＰ電話端末１ａと交換することにより、例えば、無線ＩＰ電話端末１ａの通信機能や通話先の無線ＩＰ電話端末１ｂなどを確認して、無線ＩＰ電話端末１ａとの通信を確立する。
【００１３】
この際、基地局２ａの監視制御部１４は、有線−無線ブリッジ部１２により中継される信号を監視し、その信号がＳＩＰのメッセージであれば、そのメッセージの種類を判別する。
ＳＩＰのメッセージは、テキスト形式で表現されているので、メッセージの開始行の先頭に位置するメソッドからメッセージの種別を判別することができる。
【００１４】
基地局２ａの監視制御部１４は、例えば、ＳＩＰのメッセージが「Ｔｏ−ＴａｇなしのＩＮＶＩＴＥ」であれば、無線ＩＰ電話端末１ａの通話状態が待受け中から通話中に移行したものと認識し、ＳＩＰのメッセージが「Ｔｏ−ＴａｇありのＩＮＶＩＴＥ」であれば、無線ＩＰ電話端末１ａの通話状態が待受け中から無通話保留中に移行したものと認識する。
また、基地局２ａの監視制御部１４は、例えば、ＳＩＰのメッセージが「ＢＹＥ」であれば、無線ＩＰ電話端末１ａの通話状態が通話中又は無通話保留中から待受け中に移行したものと認識する。
また、基地局２ａの監視制御部１４は、例えば、ＳＩＰのメッセージが「ＣＡＮＣＥＬ」であれば、通信の確立処理を実施している期間中（呼出中）に、無線ＩＰ電話端末１ａから通信確立の中断要求が送信されたものと認識する。
【００１５】
呼制御サーバ３は、無線ＩＰ電話端末１ａとＳＩＰメッセージを交換することにより、無線ＩＰ電話端末１ａとの通信を確立すると、同様にして、通話先である無線ＩＰ電話端末１ｂとも通信を確立する。
これにより、以降、無線ＩＰ電話端末１ａと無線ＩＰ電話端末１ｂは、基地局２ａ，２ｂ及び呼制御サーバ３を介して、音声パケットを送受信することができるようになる。
【００１６】
以上で明らかなように、この実施の形態１によれば、無線ＩＰ電話端末１ａ，１ｂと呼制御サーバ３が通信の確立に使用するＳＩＰのメッセージを検出すると、メッセージの種類を判別して、そのメッセージの種類から無線ＩＰ電話端末１ａ，１ｂの通話状態を特定するように構成したので、無線ＩＰ電話端末１ａ，１ｂが通話開始の指示等を示す指示情報を生成して送信する機能を備えていなくても、無線ＩＰ電話端末１ａ，１ｂの現在の通話状態を特定することができる効果を奏する。
【００１７】
なお、この実施の形態１では、無線ＩＰ電話端末１ａ，１ｂと呼制御サーバ３が通信の確立時にＳＩＰのメッセージを交換するものについて示したが、ＳＩＰ以外の通信制御プロトコルのメッセージを交換するようにしてもよく、この場合でも、そのメッセージの種類から無線ＩＰ電話端末１ａ，１ｂの通話状態を特定するようにする。
【００１８】
実施の形態２．
上記実施の形態１では、無線ＩＰ電話端末１ａ，１ｂと呼制御サーバ３が通信の確立時に交換するＳＩＰのメッセージから無線ＩＰ電話端末１ａ，１ｂの通話状態を特定するものについて示したが、通信の確立後の通話状態の変化を監視するために、無線ＩＰ電話端末１ａ，１ｂと呼制御サーバ３間の通話トラフィックであるＲＴＰ（Ｒｅａｌ−ｔｉｍｅ  Ｔｒａｎｓｐｏｒｔ  Ｐｒｏｔｏｃｏｌ，ＲＦＣ１８８９）トラフィックを監視し、ＲＴＰトラフィックの有無から無線ＩＰ電話端末１ａ，１ｂの通話状態を特定するようにしてもよい。
【００１９】
具体的には、以下の通りである。
図３は無線ＩＰ電話端末１ａ，１ｂの通話状態の遷移を示す説明図である。
無線ＩＰ電話端末１ａ，１ｂと呼制御サーバ３間の通信が確立すると、上述したように、無線ＩＰ電話端末１ａと無線ＩＰ電話端末１ｂが、基地局２ａ，２ｂ及び呼制御サーバ３を介して、音声パケットを送受信する。
この際、音声パケットが送受信されている状況下では、ＲＴＰトラフィックが有りとなるが、音声パケットが送受信されていない状況下では、ＲＴＰトラフィックが無しとなる。
【００２０】
基地局２ａ，２ｂの監視制御部１４は、無線ＩＰ電話端末１ａ，１ｂと呼制御サーバ３間の通信が確立すると、有線−無線ブリッジ部１２による信号の中継状況を監視して、ＲＴＰトラフィックを検出する。
基地局２ａ，２ｂの監視制御部１４は、例えば、無線ＩＰ電話端末１ａ，１ｂの通話状態が待受け中であるとき、ＲＴＰトラフィックを検出すると、図３のイベントＣのように、無線ＩＰ電話端末１ａ，１ｂの通話状態が通話中Ａ（発信中／着信中である状態）に移行したものと認識し、タイマ（１）をスタートする。
【００２１】
基地局２ａ，２ｂの監視制御部１４は、無線ＩＰ電話端末１ａ，１ｂの通話状態が通話中Ａに移行した後、タイマ（１）がタイムアウトする前の状況下で、ＲＴＰトラフィックを検出している期間中は、無線ＩＰ電話端末１ａ，１ｂの通話状態が遷移しておらず、通話中Ａを維持しているものと認識し、タイマ（１）をリセットする。
基地局２ａ，２ｂの監視制御部１４は、無線ＩＰ電話端末１ａ，１ｂの通話状態が通話中Ａに移行した後、タイマ（１）がタイムアウトする前の状況下で、ＲＴＰトラフィックを検出しなくなると、無線ＩＰ電話端末１ａ，１ｂの通話状態が通話中Ｂに移行したものと認識する。また、後述するタイマ（２）をキャンセルして、タイマ（１）をスタートする。
なお、通話中Ｂは、通話中Ａと同様に、発信中／着信中の状態であるが、ＲＴＰトラフィックが未検出中の状態である点で相違している。
【００２２】
基地局２ａ，２ｂの監視制御部１４は、無線ＩＰ電話端末１ａ，１ｂの通話状態が通話中Ａに移行した後、ＲＴＰトラフィックを検出することなく、タイマ（１）がタイムアウトすると、図３のイベントＤのように、無線ＩＰ電話端末１ａ，１ｂの通話状態が待受け中に移行したものと認識する。
また、基地局２ａ，２ｂの監視制御部１４は、無線ＩＰ電話端末１ａ，１ｂの通話状態が通話中Ｂに移行した後、ＲＴＰトラフィックを検出することなく、タイマ（２）がタイムアウトすると、図３のイベントＥのように、無線ＩＰ電話端末１ａ，１ｂの通話状態が待受け中に移行したものと認識する。
【００２３】
基地局２ａ，２ｂの監視制御部１４は、上記実施の形態１で示したように、「Ｔｏ−ＴａｇなしのＩＮＶＩＴＥ」のＳＩＰメッセージを検出すると、図３のイベントＡのように、無線ＩＰ電話端末１ａ，１ｂの通話状態が待受け中から通話中Ａに移行したものと認識し、タイマ（１）をスタートする。
基地局２ａ，２ｂの監視制御部１４は、無線ＩＰ電話端末１ａ，１ｂの通話状態が待受け中であるとき、「Ｔｏ−ＴａｇありのＩＮＶＩＴＥ」のＳＩＰメッセージを検出すると、図３のイベントＢのように、無線ＩＰ電話端末１ａ，１ｂの通話状態が通話中Ａに移行したものと認識し、タイマ（１）をスタートする。
また、基地局２ａ，２ｂの監視制御部１４は、無線ＩＰ電話端末１ａ，１ｂの通話状態が通話中Ａであるとき、「Ｔｏ−ＴａｇありのＩＮＶＩＴＥ」のＳＩＰメッセージを検出すると、図３のイベントＢのように、無線ＩＰ電話端末１ａ，１ｂの通話状態が通話中Ｂに移行したものと認識し、タイマ（１）をキャンセルして、タイマ（２）をスタートする。
【００２４】
さらに、基地局２ａ，２ｂの監視制御部１４は、無線ＩＰ電話端末１ａ，１ｂの通話状態が通話中Ａ又は通話中Ｂであるとき、「ＢＹＥ」又は「ＣＡＮＣＥＬ」のＳＩＰメッセージを検出すると、図３のイベントＦのように、無線ＩＰ電話端末１ａ，１ｂの通話状態が待受け中に移行したものと認識し、タイマ（１）をキャンセルする。
【００２５】
基地局２ａ，２ｂの監視制御部１４は、上述したように、タイマ（１）又はタイマ（２）がタイムアウトすると、無線ＩＰ電話端末１ａ，１ｂの通話状態が通話中Ａ又は通話中Ｂから待受け中に移行したものと認識するが、このように、タイマ（１）（２）のタイムアウトを基準にして状態遷移を判断している理由は、次の通りである。
【００２６】
（１）例えば、無線ＩＰ電話端末１ａが移動して、基地局２ａから基地局２ｂにハンドオーバする場合、ハンドオーバ元の基地局２ａでは、「ＢＹＥ」のＳＩＰメッセージを検出することができず、無線ＩＰ電話端末１ａとの通話断を判断することができないので、タイマ（１）（２）がタイムアウトしたことをもって、無線ＩＰ電話端末１ａとの通話断を判断できるようにしている。
なお、ハンドオーバ先の基地局２ｂでは、通話が継続的に行われる場合、「ＩＮＶＩＴＥ」のＳＩＰメッセージを検出することができず、無線ＩＰ電話端末１ａとの通話開始を判断することができないので、ＲＴＰトラフィックを検出することにより、無線ＩＰ電話端末１ａとの通話開始を判断できるようにしている。
（２）無線ＩＰ電話端末１ａ，１ｂが圏外に移動する場合も、ハンドオーバする場合と同様に、タイマ（１）（２）がタイムアウトしたことをもって、無線ＩＰ電話端末１ａ，１ｂとの通話断を判断できるようにしている。
（３）タイマ（１）（２）がタイムアウトしたことをもって、無線ＩＰ電話端末１ａ，１ｂとの通話断を判断するようにしているので、電波のシャドウイングによる短時間の無線回線の品質劣化が発生しても、通話断と判断されず、即時断の誤検出を防止することができる。
【００２７】
実施の形態３．
上記実施の形態１，２では、特に言及していないが、無線ＩＰ電話端末の音声品質を確保するためには、基地局が同時に接続可能な無線ＩＰ電話端末の台数を制限する必要がある。
そこで、この実施の形態３では、基地局２ａ，２ｂが無線ＩＰ電話端末から通話要求を受けたときには、次のような処理を実施するようにしている。
図４はこの発明の実施の形態１によるＩＰ電話システムが適用する基地局の処理内容を示すフローチャートである。
【００２８】
接続拒否手段を構成している基地局２ａ，２ｂの監視制御部１４は、ある無線ＩＰ電話端末から通話要求を受信すると（ステップＳＴ１）、現在の通話状態が通話中Ａ又は通話中Ｂである無線ＩＰ電話端末の台数を検出する（ステップＳＴ２）。
基地局２ａ，２ｂの監視制御部１４は、現在の通話状態が通話中Ａ又は通話中Ｂである無線ＩＰ電話端末の台数が、予め設定された規定台数（音声品質を確保することが可能な台数）に満たなければ（ステップＳＴ３）、その無線ＩＰ電話端末の接続を許可する（ステップＳＴ４）。
一方、現在の通話状態が通話中Ａ又は通話中Ｂである無線ＩＰ電話端末の台数が、既に規定台数に到達していれば（ステップＳＴ３）、その無線ＩＰ電話端末の接続を拒否する（ステップＳＴ５）。
【００２９】
以上で明らかなように、この実施の形態３によれば、現在の通話状態が通話中Ａ又は通話中Ｂである無線ＩＰ電話端末の台数が、既に規定台数に到達していれば、新たな無線ＩＰ電話端末の接続を拒否するように構成したので、無線ＩＰ電話端末の音声品質を確保することができる効果を奏する。
【００３０】
実施の形態４．
上記実施の形態１〜３では、通話管理装置である基地局２ａ，２ｂが無線ＩＰ電話端末１ａ，１ｂと呼制御サーバ３間の通信状態を管理するものについて示したが、呼制御サーバ３に相当するＰＢＸとＩＰ電話端末間の通信状態を、ルータやスイッチが通話管理装置として管理するようにしてもよい。
【図面の簡単な説明】
【００３１】
【図１】この発明の実施の形態１によるＩＰ電話システムを示す構成図である。
【図２】この発明の実施の形態１によるＩＰ電話システムが適用する基地局を示す構成図である。
【図３】無線ＩＰ電話端末の通話状態の遷移を示す説明図である。
【図４】この発明の実施の形態１によるＩＰ電話システムが適用する基地局の処理内容を示すフローチャートである。
【符号の説明】
【００３２】
１ａ，１ｂ  無線ＩＰ電話端末、２ａ，２ｂ  基地局（通話管理装置）、３  呼制御サーバ、４  ＩＰネットワーク、１１  無線送受信部、１２  有線−無線ブリッジ部、１３  有線処理部、１４  監視制御部（メッセージ検出手段、通話状態特定手段、接続拒否手段）。
【図１】
2007174558.tif 000003
【図２】
2007174558.tif 000004
【図３】
2007174558.tif 000005
【図４】
2007174558.tif 000006